(57)【要約】【課題】  印刷する本人が他人の情報に基づいて一部一部印刷をしない限りその個人にあった印刷結果を得られない課題があった。【解決手段】  個人個人の情報を予めサーバＰＣ等に登録しておくことで、印刷の際にその個人情報に基づいて例えば、拡大／縮小印刷、濃い／薄い印刷、文字ポイント数の拡大／縮小印刷、デフォルトの用紙サイズ、デフォルトの部数等で印刷を可能にする。また、誰宛への印刷を一覧から選択することで、その人の個人情報に基づいた印刷を可能にする。【選択図】  図３
2006350911.tif 000002
【特許請求の範囲】
【請求項１】
ネットワーク接続、ローカル接続されているプリンタ環境において、個人の情報を予めサーバPC等に登録する登録手段とその登録されている個人情報に基づいて例えば、拡大/縮小印刷、濃い/薄い印刷、文字ポイント数の拡大/縮小印刷、デフォルトの用紙サイズ、デフォルトの部数等で印刷を可能にすることを特徴とする印刷制御装置。
【請求項２】
前記記載の印刷制御装置において、誰宛へ（複数人の選択も可）の印刷を行うのか一覧から選択する選択手段及び表示手段とその選択により登録されている個人情報に基づいて印刷を可能にすることを特徴とする請求項１記載の印刷制御装置。
【請求項３】
前記記載の印刷制御装置において、印刷を実行する前に個人情報を確認するためにユーザに通知する表示手段を特徴とする請求項１記載の印刷制御装置。
【発明の詳細な説明】
【技術分野】
【０００１】
本発明は、個人個人の情報を予めサーバPC等に登録しておくことで、印刷の際にその個人情報に基づいて例えば、拡大/縮小印刷、濃い/薄い印刷、文字ポイント数の拡大/縮小印刷、デフォルトの用紙サイズ、デフォルトの部数等で印刷を可能にする印刷制御装置に関するものである。また、誰宛へ（複数人の選択も可）の印刷を一覧から選択することで、その人の個人情報に基づいた印刷を可能にする印刷制御装置に関する。
【背景技術】
【０００２】
従来の印刷制御装置においては、印刷を行うユーザが拡大/縮小印刷、濃淡印刷、又は、ドキュメントを変更したりして、印刷する本人が微調整する必要があった。また、一度に何十部印刷する場合、個人情報に関係なく、同じ印刷結果が何十部印刷される方式であった。
【０００３】
又、従来例としては、例えば特許文献１をあげることが出来る。
【特許文献１】特開平11-224174号公報
【発明の開示】
【発明が解決しようとする課題】
【０００４】
然しながら、上述の従来例では、印刷する本人が他人の情報に基づいて一部一部印刷をしない限りその個人にあった印刷結果を得られない課題があった。また、印刷する本人にかかる負荷が大きく、作業時間等の無駄が生じる課題があった。
【０００５】
本発明は、上述の点に着目して成されたもので、印刷を行うユーザの処理の負担を軽減させることを目的とする。
【課題を解決するための手段】
【０００６】
本発明は、下記構成を備えることにより上記課題を解決できるものである。
【０００７】
(1)ネットワーク接続、ローカル接続されているプリンタ環境において、個人の情報を予めサーバPC等に登録する登録手段とその登録されている個人情報に基づいて例えば、拡大/縮小印刷、濃い/薄い印刷、文字ポイント数の拡大/縮小印刷、デフォルトの用紙サイズ、デフォルトの部数等で印刷を可能にすることを特徴とする印刷制御装置。
【０００８】
(2)前記記載の印刷制御装置において、誰宛へ（複数人の選択も可）の印刷を行うのか一覧から選択する選択手段及び表示手段とその選択により登録されている個人情報に基づいて印刷を可能にすることを特徴とする印刷制御装置。
【０００９】
(3)前記記載の印刷制御装置において、印刷を実行する前に個人情報を確認するためにユーザに通知する表示手段を特徴とする印刷制御装置。
【発明の効果】
【００１０】
以上説明したように本発明によれば、印刷する本人が他人の情報に基づいて一部一部印刷をしなければならない作業負担を大幅に軽減させる効果がある。
【発明を実施するための最良の形態】
【００１１】
以下、図面を参照して本発明の実施の形態を説明する。
【００１２】
図１は、本発明の印刷制御装置の一実施形態を示すブロック図である。
【００１３】
図１における符号１は、装置全体の制御を行う制御部で、マイクロプロセッサなどの中央演算処理装置（以下、CPUという）や各種Ｉ/Ｏポートを備え、各部に制御信号やデータ信号などを出力したり、後述の各部からの制御信号やデータ信号を入力して制御を行っている。符号２は、図２に示す手順のプログラム、システムプログラムやマネージャプログラムおよびその他のアプリケーションプログラム等や文字フォント及び辞書などを記憶する読み出し専用メモリ（ＲＯＭ）である。符号３は、外部に増設された読み出し専用メモリ（外部ＲＯＭ）４からロードされたアプリケーションプログラムや文書情報などを記憶する読み書き可能なメモリ（ＲＡＭ）である。符号５は、文書情報や各種コマンドなどを入力するキーボード６を制御するキーボード制御装置（以下、ＫＢＣという）である。符号７は、例えば、液晶などを利用した平面または略平面の表示領域を有するフラットパネルなどの表示装置（表示手段；以下、ＣＲＴという）８を制御する表示制御装置（以下、ＣＲＴＣという）である。符号９は、外部記憶装置としてのフレキシブルディスク駆動装置（以下、ＦＤＤという）１０やハードディスク駆動装置（以下、ＨＤＤという）１１を制御する周辺装置制御装置（以下、ＰＫＣという）である。なお、上記ＦＤＤ１０または、ＨＤＤ１１に図２に示す手順のプログラムを記憶させてもよい。符号１２は、ヘッドを用いて画像形成を行うプリント装置（以下、ＰＲＴという）である。このＰＲＴ１２は、本発明の印刷制御装置の一部を構成する要素である。符号１３は、マウス等のポインティングデバイス（以下、ＰＤという）であり、上記ＣＲＴ８上の表示を選択的に指示するのに用いることができる。かかる特定手段と上述の表示手段とは、スピード印刷を選定する選定手段を構成する。
【００１４】
図１に示した印刷制御装置においては、ＲＯＭ２、ＰＲＴ１２、ＨＤＤ１１あるいは、ＲＡＭ３上にプログラムが存在しており、制御部１がシステムバス１４を通じて逐次プログラムを読み出しながら目的の処理を行うように設定されている。
【００１５】
次に図２は、ネットワーク接続（プリントサーバ経由も含む）、ローカル接続されたプリンタと個人情報を管理するＰＣ、印刷を行うＰＣの関係を示すブロック図である。ユーザがあるＰＣから印刷を行う際、必ず個人情報を管理するＰＣと通信を行い、その情報に基づいて、データを構築し、印刷を行う。
【００１６】
次に図３の処理工程を示すフローチャートを図４を用いて、目的の印刷処理手順、作用などを説明する。
【００１７】
まず、図３のステップ３１１において、誰宛の印刷行うのか選択画面が表示する。次にステップ３１２において、個人情報が管理されているＰＣから個人情報を取得する。例えば、図４の印刷宛先から自分の課のメンバーを選択した場合は、図２の個人情報が管理されているＰＣに課のメンバーの個人情報を取得しにいき、図４の設定確認画面を表示する（ステップ３１３）。例えば、課のメンバーの一人松尾さんに対する個人情報が拡大/縮小印刷の設定がなければ、原稿サイズＡ４サイズに対して、倍率を変更せずに出力用紙サイズもＡ４と表示される。また、松尾さんは、常に出力部数を複数欲しいのかどうかも個人情報に設定されているため、この情報を個人情報が管理されているＰＣから取得する。今回の例えでは個人情報を管理するＰＣには、１部と設定されているため、確認画面においても1部と表示される。また、ページレイアウトにおいては、2Page in 1Pageの印刷を松尾さんの個人情報として登録されているため、この情報に基づき印刷が実行される。また、両面印刷に関しての設定は、ここでの例では、両面印刷を行うことを個人情報を管理するＰＣに登録されているため、印刷を行った際には、設定確認情報に基づいた印刷がお粉割ることになる。仮にユーザが印刷行う際に変更したい場合（ステップ３１４）は、図４の変更ボタンを選択することで印刷データを変更することが可能になる。仮にステップ３１４で個人情報の修正を行わない場合は、図４でＯＫボタンを選択すれば、設定情報に基づいた印刷が行われる。変更ボタンを選択した場合は、ステップ３１５に進み図５のような画面を表示してユーザに変更可能にする。
【図面の簡単な説明】
【００１８】
【図１】本発明の印刷制御装置の一実施形態を示すブロック図である。
【図２】ネットワーク接続（プリントサーバ経由も含む）、ローカル接続されたプリンタと個人情報を管理するＰＣ、印刷を行うＰＣの関係を示すブロック図である。
【図３】個人情報に基づいた印刷を行うための一連の動作を示すフローチャートである。
【図４】ユーザに個人情報の確認を行うための画面示す図である。
【図５】ユーザが個人情報の変更を行える画面を示す図である。
【符号の説明】
【００１９】
１  制御部（ヘッド制御手段）
２  ROM
３  RAM
４  外部ROM
５  キーボード制御装置
６  キーボード（特定手段）
７  表示制御装置
８  表示装置（表示手段）
９  周辺装置制御装置
１０  フレキシブルディスク
１１  ハードディスク
１２  プリント装置
１３  ポインティングデバイス
【図１】
2006350911.tif 000003
【図２】
2006350911.tif 000004
【図３】
2006350911.tif 000005
【図４】
2006350911.tif 000006
【図５】
2006350911.tif 000007